(57)【特許請求の範囲】
【請求項１】
一方向へ細長くそれぞれ形成された複数本の長尺部材が束ねられた長尺部材束に外周側から巻き付けられ、該長尺部材束を締付けて結束する長尺部材束の結束装置であって、
長尺部材束の外周長に対応する長さを有し、該長尺部材束に外周側から巻き付けられる巻付部材と、
前記巻付部材の長手方向一端部に連結された第１の掛止部材と、
前記巻付部材の長手方向他端部に回動可能に連結される連結軸が基端部に配置されると共に、前記基端部から前記連結軸を中心とする径方向に沿って外周側へ延出する取手部が形成された締付レバーと、
前記締付レバーにおける前記連結軸の外周側に配置され、前記基端部と前記取手部との間に延在するスライド溝であって、前記基端部側の端部を拘束端部、該拘束端部の反対側の端部を解放端部とするとともに、該解放端部に形成された、前記締付レバーの長手方向と平行に延在する平行部と、該平行部から傾斜するように延びる傾斜部とを有するスライド溝と、
前記スライド溝にスライド可能になるように連結された第２の掛止部材であって、前記スライド溝内に挿入されるスライド部と、前記第１の掛止部材により掛止可能とされた掛止部とを備え、前記第１の掛止部材により前記掛止部が掛止されると、該第１の掛止部材に連結される第２の掛止部材と、
前記締付レバーにおける基端側の端面部に形成され、長尺部材束の外周面に当接しつつ、前記連結軸を中心として前記締付レバーを、前記第１の掛止部材と前記第２の掛止部材の掛止部とが掛止された状態で、前記巻付部材に長尺部材束に対する結束張力を発生させる結束装置と、前記第１の掛止部材と前記第２の掛止部材の掛止部とを掛止及び離脱可能とする解放位置との間で揺動可能とする突当支点部とを有し、
前記締付レバーが前記解放位置にあるときには、前記第２の掛止部材の前記スライド部が、前記スライド溝の解放端部に形成された平行部に位置することを特徴とする長尺部材束の結束装置。
【請求項２】
前記取手部に、前記締付レバーが前記結束位置にある状態で、前記巻付部材に対して連結及び離脱可能とされ、前記巻付部材に連結されると、前記締付レバーを前記結束位置に拘束するストッパ部材を設けたことを特徴とする請求項１記載の長尺部材束の結束装置。
【請求項３】
前記突当支点部を、前記連結軸を略中心として円弧状に湾曲した湾曲面により形成したことを特徴とする請求項１又は２記載の長尺部材束の結束装置。
【請求項４】
前記取手部の先端部に、棒状工具が連結及び離脱可能とされた工具連結部を設け、該工具連結部に連結された棒状工具を介して前記締付レバーに揺動方向の操作力を伝達可能としたことを特徴とする請求項１乃至３の何れか１項記載の長尺部材束の結束装置。
【発明の詳細な説明】
【技術分野】
【０００１】
本発明は、パイプ材、長尺角材等の一方向へそれぞれ細長く形成された複数本の長尺部材が束ねられた長尺部材束に外周側から巻き付けられ、この長尺部材束を締付けて結束する長尺部材束の結束装置に関する。
【背景技術】
【０００２】
建設現場等では、例えば、足場用の仮設パイプ、配管用パイプ、長尺の鉄筋材、木材等の長尺部材が多数使用されると共に、多数の長尺部材が日常的に外部の資材置場等から搬入され、又は外部の資材置場等へ搬出される。特許文献１には、多数の仮設パイプを建設現場、資材置場等で保管し、又は運搬するために用いられる仮設パイプ収納具が示されている。
【０００３】
特許文献１記載の仮設パイプ収納具（以下「収納具」という。）は、上方へ向かって開いた略コ字状の受枠と、この受枠の一端部に回動可能に連結された押え桟と、この押え桟の先端部を受枠の他端部に連結固定する固定装置と、を備えている。収納具では、受枠の内側に多数本の仮設パイプを水平方向及び垂直方向に沿って２次元的に配列された状態としつつ収納した後、押え桟により受枠の上端側を閉止し、押え桟の先端部を固定装置により受枠の他端部に連結固定する。これにより、多数本の仮設パイプを水平方向及び垂直方向に沿って配列した状態に安定的に保持できると共に、この収納具の上側には、仮設パイプを収納した他の収納具を更に複数段積載できるので、仮設パイプ等を保管するための資材置場を効率的に使用でき、かつ多数本の仮設パイプを収納具と共に運搬する作業が容易になる。
【特許文献１】特開平１０−１６７３１５号公報
【発明の開示】
【発明が解決しようとする課題】
【０００４】
しかしながら、特許文献１に記載されたような収納具は、仮設パイプ等の長尺部材からの荷重に耐えるため高い強度が必要なことから、受枠等の構成部材の殆どが金属を素材として形成され、長尺部材からの荷重を受ける受枠等については、溶接により組立てられている。このため、このような構造の収納具は、それ自体の重量及び外形寸法が大きくなると共に、製造単価が高いものになる。
【０００５】
また、特許文献１に記載されたような収納具は外形寸法が大きいので、この収納具を用いて多数の長尺部材を保管した場合には、保管スペースを十分に高い効率で使用できないという問題も生じる。さらに、特許文献１に記載されたような収納具には、予め決められた収納本数（例えば、５０本、１００本）のみの仮設パイプが収納可能とされており、パイプの収納本数を簡単に増減できない。例えば、予め決められた収納本数よりも少ない仮設パイプを収納具に収納すると、仮設パイプと押え桟との間に無駄な隙間できてしまい、収納具内でパイプが安定しなくなる。
本発明の目的は、上記事実を考慮し、複数の長尺部材を無駄な隙間なく整然と配列された状態の長尺部材束として結束でき、しかも装置の外形寸法及び重量を小さいものにしつつ、製造コストも抑制できる長尺部材束の結束装置を提供することにある。
【課題を解決するための手段】
【０００６】
上記問題を解決するために、本発明の請求項１に係る結束装置は、一方向へ細長くそれぞれ形成された複数本の長尺部材が束ねられた長尺部材束に外周側から巻き付けられ、該長尺部材束を締付けて結束する長尺部材束の結束装置であって、長尺部材束の外周長に対応する長さを有し、該長尺部材束に外周側から巻き付けられる巻付部材と、前記巻付部材の長手方向一端部に連結された第１の掛止部材と、前記巻付部材の長手方向他端部に回動可能に連結される連結軸が基端部に配置されると共に、前記基端部から前記連結軸を中心とする径方向に沿って外周側へ延出する取手部が形成された締付レバーと、前記締付レバーにおける前記連結軸の外周側に配置され、前記基端部と前記取手部との間に延在するスライド溝であって、前記基端部側の端部を拘束端部、該拘束端部の反対側の端部を解放端部とするとともに、該解放端部に形成された、前記締付レバーの長手方向と平行に延在する平行部と、該平行部から傾斜するように延びる傾斜部とを有するスライド溝と、前記スライド溝にスライド可能になるように連結された第２の掛止部材であって、前記スライド溝内に挿入されるスライド部と、前記第１の掛止部材により掛止可能とされた掛止部とを備え、前記第１の掛止部材により前記掛止部が掛止されると、該第１の掛止部材に連結される第２の掛止部材と、前記締付レバーにおける基端側の端面部に形成され、長尺部材束の外周面に当接しつつ、前記連結軸を中心として前記締付レバーを、前記第１の掛止部材と前記第２の掛止部材の掛止部とが掛止された状態で、前記巻付部材に長尺部材束に対する結束張力を発生させる結束装置と、前記第１の掛止部材と前記第２の掛止部材の掛止部とを掛止及び離脱可能とする解放位置との間で揺動可能とする突当支点部とを有し、前記締付レバーが前記解放位置にあるときには、前記第２の掛止部材の前記スライド部が、前記スライド溝の解放端部に形成された平行部に位置することを特徴とする。
【０００７】
また本発明の請求項２に係る結束装置は、請求項１記載の結束装置において、前記取手部に、前記締付レバーが前記結束位置にある状態で、前記巻付部材に対して連結及び離脱可能され、前記巻付部材に連結されると、前記締付レバーを前記結束位置に拘束するストッパ部材を設けたことを特徴とする。
また本発明の請求項３に係る結束装置は、請求項１又は２記載の結束装置において、前記突当支点部を、前記連結軸を略中心として円弧状に湾曲した湾曲面により形成したことを特徴とする。
また本発明の請求項４に係る結束装置は、請求項１乃至３の何れか１項記載の結束装置において、前記取手部の先端部に、棒状工具が連結及び離脱可能とされた工具連結部を設け、該工具連結部に連結された棒状工具を介して前記締付レバーに揺動方向の操作力を伝達可能としたことを特徴とする。
【発明の効果】
【０００８】
以上説明した本発明に係る結束装置によれば、複数の長尺部材を無駄な隙間なく整然と配列された状態の長尺部材束として結束でき、しかも装置の外形寸法及び重量を小さいものにしつつ、製造コストも抑制できる。
【発明を実施するための最良の形態】
【０００９】
以下、本発明の実施形態に係るパイプ束の結束装置について図面を参照しながら説明する。
図１には本発明の実施形態に係るパイプ束の結束装置が示され、図２には図１に示されるパイプ束の結束装置及び、この結束装置により結束されるパイプ束が示されている。
本実施形態に係るパイプ束の結束装置（以下「結束装置」という。）１０は、一方向へ細長くそれぞれ形成された複数本のパイプ１２が束ねられたパイプ束１４に外周側から巻き付けられ、このパイプ束１４を外周側から締付けて結束するものである。
【００１０】
パイプ束１４は、図２に示されるように、それぞれ同一外径を有する多数本（本実施形態では、１００本）のパイプ１２からなり、複数本のパイプ１２が略水平方向に沿って互いに接するように直線的に配列されると共に、この直線的に配列された複数本のパイプ１２が高さ方向に沿って複数段（本実施形態では、１０段）、互いに接するように積み重ねられて構成されている。パイプ束１４は、その長手方向外側から見て、高さ方向に沿って若干扁平となった略六角形の断面形状を有している。
【００１１】
上記のようなパイプ束１４を構成する際には、上方へ向かって開いた略コ字状の受枠（図示省略）の内側に多数本のパイプ１２を順次収納しつつ、これらのパイプ１２を水平方向及び高さ方向に沿って配列して行く。このとき、受枠として、水平方向に沿った内幅が上方へ向かってテーパ状に広がるものを用いることで、図２に示されるような略六角形のパイプ束１４を簡単に構成でき、また内幅が高さ方向に沿って一定のものを用いれば、略矩形状のパイプ束を簡単に構成できる。
【００１２】
図１に示されるように、結束装置１０は、薄肉の長尺帯状に形成された巻付部材であるバンド部材１６と、このバンド部材１６の長手方向一端部に固定された第１の掛止部材である掛止プレート１８と、バンド部材１６の長手方向他端部に連結された締付レバー２０とを備えている。バンド部材１６は、ステンレススティール等の錆が生じ難く、高い耐張力を有する金属材料により形成されている。ここで、バンド部材１６は、その長さが結束対象となるパイプ束１４の外周長に対応するものになるように予め調整されている。
【００１３】
掛止プレート１８は、ステンレススティール等の錆が生じ難く、高い剛性力を有する略長方形の金属板を略Ｊ字状に曲げ加工することにより成形されている。掛止プレート１８には、図１（Ｂ）に示されるように、その一端側に略Ｕ字状に湾曲したフック部２２が形成されると共に、他端部に長手直角方向に沿って細長いスリット状の挿通孔２４が穿設されている。
【００１４】
結束装置１０では、バンド部材１６の一端側が掛止プレート１８の挿通孔２４に挿入されてＵ字状に折り返され、バンド部材１６の一端側が２層に重ねられた状態とされる。この状態で、２層に重ねられたバンド部材１６の一端側に金属製のかしめ金具２６が外側から嵌められ、このかしめ金具２６が、専用のかしめ工具によりバンド部材１６の厚さ方向及び幅方向へそれぞれ、かしめられることにより、バンド部材１６の一端側が挿通孔２４を介して掛止プレート１８の基端部に固定されている。
【００１５】
締付レバー２０は、全体として一方向へ細長い略角柱状に形成されたレバー本体２８を備えている。レバー本体２８は、ステンレススティール等の錆が生じ難く、高い剛性力を有する略長方形の金属板をプレス等により曲げ加工することにより成形されている。レバー本体２８には、略長方形の背板部３０、この背板部３０の幅方向両端部からそれぞれパイプ束１４側へ直角に屈曲された一対の側板部３２及び、一対の側板部３２におけるレバー先端側の部分から幅方向内側へそれぞれ屈曲された一対の蓋板部３４が形成されている。ここで、レバー本体２８は、図１（Ｃ）に示されるように、その長手方向に沿って一対の蓋板部３４が延在しており、幅方向に沿った断面が閉じた矩形状となった部分付近が取手部３６とされている。
レバー本体２８には、取手部３６とは反対側の基端部３８に丸棒状の連結軸４０が取り付けられている。連結軸４０は、その軸線方向がレバー本体２８の幅方向と実質的に一致しており、両端部がレバー本体２８における一対の側板部３２にそれぞれ固着されている。
【００１６】
結束装置１０では、バンド部材１６の他端側が連結軸４０の外周側に巻き付けられてＵ字状に折り返され、バンド部材１６の他端側が２層に重ねられた状態とされる。この状態で、バンド部材１６の一端側と同様に、２層に重ねられたバンド部材１６の他端側に金属製のかしめ金具２６が外側から嵌められ、このかしめ金具２６が、専用のかしめ工具によりバンド部材１６の厚さ方向及び幅方向へそれぞれ、かしめられることにより、バンド部材１６の他端側が連結軸４０を介してレバー本体２８の基端部に連結されている。このとき、バンド部材１６の他端部が連結軸４０の外周側に巻き付けられているだけなので、レバー本体２８は、連結軸４０を中心としてバンド部材１６に対して相対的に回転可能になるように連結される。
【００１７】
レバー本体２８には、図１（Ｂ）に示されるように、側板部３２にスリット状のスライド溝４２が形成されている。このスライド溝４２は、基端部３８から取手部３６の手前付近まで延在しており、一対の側板部３２における同一の部位にそれぞれ配置されている。スライド溝４２は、その基端側の端部が拘束端部４４とされており、この拘束端部４４は半円状になるようにＲ加工されている。拘束端部４４は、レバー本体２８の長手方向に沿って連結軸４０に対しレバー先端側（取手部３６側）に位置しており、連結軸４０の中心から拘束端部４４の中心までの距離は所定の長さＬになっている。
【００１８】
スライド溝４２は、拘束端部４４の反対側の端部が解放端部４６とされており、この解放端部４６は、連結軸４０を中心とする径方向（図１の矢印Ｒ方向）に沿って取手部３６の基端側の端部付近に位置しており、拘束端部４４と同様に半円状にＲ加工されている。スライド溝４２には、その両端部にそれぞれレバー本体２８の長手方向と平行に延在する内側平行部４８及び外側平行部（請求項１における平行部）５０が形成されると共に、これら平行部４８、５０の間に、内周側から外周側へ向かって背板部３０側へ傾斜した傾斜部５２が形成されている。
【００１９】
締付レバー２０には、スライド溝４２にスライド可能になるように連結された掛止リング５４が設けられている。掛止リング５４は、金属製のリングが略長方形に屈曲されて成形されており、長手方向一端部にスライド溝４２内に挿入されるスライド部５６が形成されると共に、他端部に掛止プレート１８のフック部２２により掛止可能とされた掛止部５８が形成されている。これらのスライド部５６及び掛止部５８は、それぞれ連結軸４０の軸線方向と実質的に平行に延在している。
【００２０】
ここで、掛止プレート１８のフック部２２により掛止リング５４の掛止部５８を掛止すれば、掛止プレート１８が掛止リング５４を介してレバー本体２８に連結される。また掛止リング５４のスライド部５６は、スライド溝４２における拘束端部４４と解放端部４６との間を移動（スライド）可能とされている。
図１（Ｂ）に示されるように、レバー本体２８には、一対の側板部３２の基端側の端面部それぞれ連結軸４０を略中心として円弧状に湾曲した湾曲面からなる突当支点部６０が形成されている。またレバー本体２８の取手部３６には、その長手方向を長径方向とする長円状の長孔６２が形成されており、この長孔６２には略コ字状に屈曲したストッパロッド６４の一端側（基端側）が挿入されている。
【００２１】
ストッパロッド６４は金属製の丸棒が２箇所でそれぞれ直角に屈曲されて成形されており、その基端側には直線状の支軸部６６が形成されており、この支軸部６６は、長孔６２内に回動可能で、かつレバー本体２８の長手方向にスライド可能に挿入されている。支軸部６６の先端部には、図１（Ａ）に示されるように、ナット６８が螺着されている。これにより、ストッパロッド６４の支軸部６６が長孔６２内から脱落することが阻止されている。
【００２２】
ストッパロッド６４には、支軸部６６の先端部から外周側へ屈曲されたアーム部７０が形成されている。またストッパロッド６４には、アーム部７０の先端部からレバー本体２８側に屈曲した差込部７２が形成されており、この差込部７２の先端部には、支軸部６６を中心とする径方向に沿って内周側の部位に傾斜突起部７４が一体的に形成されている。傾斜突起部７４は、差込部７２の基端側から先端側へ向かって内周側へ傾斜するスロープ状に形成されている。ここで、差込部７２の傾斜突起部７４の部分を除く長さＤは、バンド部材１６の幅Ｂよりも若干長くなっている。
【００２３】
次に、上記のように構成された結束装置１０によりパイプ束１４を結束する作業方法について説明する。
図２（Ａ）に示されるように、先ず、受枠等を用いて多数のパイプ１２を側面視にて、略六角形となるように積上げてパイプ束１４を構成した後、このパイプ束１４に外周側から結束装置１０のバンド部材１６を巻き付ける。このとき、結束装置１０の使用個数は、パイプ１２の全長に応じて適宜増減され、例えば、パイプ１２の全長が十分に短い場合には１個の結束装置１０でも足りるが、２個の結束装置１０によりパイプ束１４の両端部をそれぞれ結束するようにすれば、パイプ束１４の長さが広い範囲で変化しても、殆ど場合、パイプ束１４を安定的に結束可能になる。
【００２４】
ここでは、説明を簡単にするため、１個の結束装置１０のみによりパイプ束１４を結束する場合を説明するが、２個以上の結束装置１０を用いる場合でも、１個の結束装置１０を用いる場合と同様の作業を繰り返して行えば、それらの結束装置１０によりパイプ束１４を結束できることは言うまでもない。
次いで、図３に示されるように、作業者は、取手部３６の先端側が掛止プレート１８に近づくような方向へ揺動させつつ、掛止プレート１８のフック部２２により掛止リング５４の掛止部５８を掛止させる。このとき、金属性のバンド部材１６はばね性を有しており、外周側へ向かって広がろうとする復元力を発生していることから、バンド部材１６には、その復元力に対応する張力が生じている。
【００２５】
従って、結束装置１０では、バンド部材１６の張力が掛止プレート１８を介して掛止リング５４に作用し、この張力により掛止リング５４がスライド溝４２の解放端部４６側へスライドすると共に、掛止リング５４を介してレバー本体２８に解放方向（図３では反時計方向）のトルクが伝達される。このトルクにより締付レバー２０は、連結軸４０を中心とする揺動方向に沿って図３に示される解放位置に保持される。このとき、バンド部材１６に生じている張力は比較的低いものであるので、作業員が掛止プレート１８と締付レバー２０を互いに近づけるような力を作用させれば、掛止プレート１８により掛止リング５４を掛止し、かつ掛止プレート１８を掛止リング５４から離脱させる作業がそれぞれ容易に行える。
【００２６】
作業員は、掛止プレート１８により掛止リング５４を掛止した後、取手部３６を把持しつつ、図４に示されるように、解放位置にある締付レバー２０を解放位置とは反対側の結束位置側へ揺動させる。これにより、掛止プレート１８を介して掛止リング５４に作用するバンド部材１６の張力の一部が連結軸４０へ向かう分力に変換される。この分力により解放端部４６にあった掛止リング５４がスライド溝４２に沿って拘束端部４４側へ序々にスライドする。また連結軸４０側へ向かう分力に変換されたバンド部材１６の張力の一部が、掛止リング５４を介してレバー本体２８に伝達されることにより、レバー本体２８がパイプ束１４側へ付勢され、その付勢力によりレバー本体２８の突当支点部６０がパイプ束１４の外周面（図４では２本のパイプ１２の外周面）に圧接する。
【００２７】
ここで、レバー本体２８の突当支点部６０が連結軸４０を中心として湾曲した円弧状の湾曲面により形成されていることから、突当支点部６０をパイプ束１４の外周面に圧接させつつ、レバー本体２８に結束位置側の力（トルク）を作用させれば、レバー本体２８は連結軸４０を略中心として揺動可能になる。
このとき、レバー本体２８の取手部３６が梃子の力点となり、かつ突当支点部６０が梃子の支点となるので、レバー本体２８が梃子として機能することから、レバー本体２８を小さい力で揺動させることができ、またレバー本体２８が突当支点部６０を介してパイプ束１４に回動可能に固定できるので、レバー本体２８に大きな力を作用させたときにも、レバー本体２８の位置ずれや、脱落を効果的に防止しつつ、レバー本体２８を確実に結束位置側へ揺動させることができる。
【００２８】
一方、締付レバー２０では、掛止リング５４の拘束端部側へのスライド量が、レバー本体２８の解放位置から結束位置側への揺動量に対応するものになる。また掛止プレート１８により掛止された掛止リング５４がスライド溝４２に沿って拘束端部４４側へスライドするに従って、結束装置１０全体としての周長が序々に短縮され、その短縮量に応じた張力増加がバンド部材１６に生じる。
【００２９】
結束装置１０では、図５に示されるように、締付レバー２０を解放位置から所定量、結束位置側へ揺動させると、掛止リング５４がスライド溝４２の拘束端部４４に達し、掛止リング５４のスライド溝４２に沿ったスライドが完了する。このとき、掛止リング５４のスライド部５６が、連結軸４０で折り返されて２層になったバンド部材１６の他端部に外周側から圧接する。
結束装置１０では、締付レバー２０が掛止リング５４を拘束端部４４までスライドさせる位置（スライド完了位置）まで揺動した状態では、バンド部材１６の張力がパイプ束１４を安定的に拘束できるまで増加していない。
【００３０】
この後、作業員は、スライド完了位置まで揺動させた締付レバー２０を、更に図６に示される結束位置まで揺動させる。このとき、締付レバー２０がスライド完了位置から結束位置側へ揺動するに従って、掛止リング５４のスライド部５６がバンド部材１６の他端部を内周側へ加圧して、バンド部材１６の他端部付近を側面視にて略Ｖ字状に屈曲する内周側へ弾性的に変形させる。これにより、締付レバー２０の結束位置側への揺動に従ってバンド部材１６の張力が序々に増加し、締付レバー２０が結束位置まで揺動すると、バンド部材１６には、パイプ束１４を安定的に結束するために必要となる張力よりも十分に大きい張力が発生する。
【００３１】
最後に、作業員は、図７に示されるように、ストッパロッド６４を差込部７２をパイプ束１４の外周面とバンド部材１６との間に挿入する。これにより、締付レバー２０の結束位置から解放位置側への揺動が阻止され、締付レバー２０が確実に結束位置に保持される。
なお、パイプ束１４とバンド部材１６との間に差込部７２を挿入するスペースがない場合には、バール等の棒状工具をパイプ束１４とバンド部材１６との間に挿入し、この棒状工具を梃子としてバンド部材１６を外周側へ持ち上げれば、パイプ束１４とバンド部材１６との間に差込部７２の挿入スペースを容易に確保できる。
【００３２】
また結束装置１０では、差込部７２の傾斜突起部７４の部分を除く長さＤがバンド部材１６の幅Ｂより若干長くなっていることから、バンド部材１６の内側に差込部７２を挿入すれば、バンド部材１６が差込部７２における傾斜突起部７４の基端側の張力により圧接した状態になり、傾斜突起部７４によりバンド部材１６が差込部７２の先端側へずれることが阻止される。これにより、パイプ束１４及び、このパイプ束１４を結束した結束装置１０をトラック等で運搬する際や、クレーン等で搬送する際に、振動、衝撃等がパイプ束１４に作用しても、結束装置１０の締付レバー２０が結束位置から解放位置側へ揺動することを効果的に防止できる。
【００３３】
なお、パイプ束１４を構成するパイプ１２の外径が大きい場合や、パイプ束１４を構成するパイプ１２の本数が非常に多い場合には、作業員が締付レバー２０を解放位置から結束位置へ揺動させるために必要となる力も非常に大きいものになるが、このような場合にも、バール等の棒状工具を取手部３６の先端開口から締付レバー２０内に挿入し、この棒状工具を介して締付レバー２０に力を伝達するようにすれば、棒状工具の長さに応じて梃子比を大きくできるので、作業員は小さな力で楽に締付レバー２０を結束位置まで揺動させることができる。
【００３４】
また、ストッパロッド６４の差込部７２をバンド部材１６から外す際にも、バール等の棒状工具を取手部３６の先端開口から締付レバー２０内に挿入し、この棒状工具を介して締付レバー２０にパイプ束１４側の力を伝達するようにすれば、差込部７２をパイプ束１４側へ容易に移動でき、その状態で、棒状工具を介してバンド部材１６の幅方向外側の力を締付レバー２０へ伝達すれば、差込部７２をバンド部材１６から容易に外すこともできる。これにより、バンド部材１６の張力により締付レバー２０が解放位置へ復帰するので、掛止プレート１８を掛止リング５４から外せば、結束装置１０をパイプ束１４から離脱可能になる。
【００３５】
以上説明した本実施形態に係る結束装置１０では、掛止プレート１８により掛止リング５４が掛止された状態で、締付レバー２０に形成された突当支点部６０がパイプ束１４の外周面に当接しつつ、連結軸４０を中心として締付レバー２０を、解放位置からバンド部材１６にパイプ束１４が結束可能となる十分な張力を発生させる結束位置へ揺動可能とされることにより、多数本のパイプ１２が水平方向及び高さ方向に沿って配列されて構成されたパイプ束１４を十分に大きい張力により確実に結束できる。
【００３６】
このとき、パイプ束１４を構成する多数本のパイプ１２間には無駄な隙間が形成されず、またパイプ束１４を構成する多数本のパイプ１２と結束装置１０との間にも無駄な隙間が形成されないと共に、結束装置１０自体の外形寸法も非常に小さいものであるので、パイプ束１４を保管するための設置スペースを効率的に使用できる。また、結束装置１０は、金属製の受枠、押え桟等からなる従来の収納具と比較し、その重量が非常に軽いものであり、装置を構成する部品の点数も少ないことから、製造コスト（単価）を大幅に低減できる。
【００３７】
なお、本実施形態に係る結束装置１０は、足場用の仮設パイプ、配管用パイプ等のパイプ１２以外にも、長尺の鉄筋材、樋状部材、材木等の長尺部材の束を結束するためにも用いることができる。本実施形態では、巻付部材として帯状のバンド部材１６を用いていたが、このようなバンド部材１６に代えて、１本乃至複数本の針金を用いても良い。また本実施形態では、レバー本体２８として金属板を曲げ加工したものを用いていたが、このような曲げ加工により製造されたレバー本体２８に代えて、例えば、鋳造により成形されたレバー本体を用いても良い。このとき、長尺部材の重量等に応じてレバー本体の材質としてはアルミ合金等の金属以外にも、樹脂材料を用いることもできる。
【図面の簡単な説明】
【００３８】
【図１】本発明の実施形態に係るパイプ束の結束装置の構成を示す平面図、側面図及び底面図である。
【図２】本発明の実施形態に係るパイプ束の結束装置及びパイプ束の構成を示す正面図であり、（Ａ）は結束前の結束装置及びパイプ束を示し、（Ｂ）は結束後の結束装置及びパイプ束を示している。
【図３】図２に示される結束装置及びパイプ束を拡大して示す正面図であり、締付レバーが解放位置にある状態を示している。
【図４】図２に示される結束装置及びパイプ束を拡大して示す正面図であり、締付レバーが解放位置とスライド完了位置との間にある状態を示している。
【図５】図２に示される結束装置及びパイプ束を拡大して示す正面図であり、締付レバーがスライド完了位置にある状態を示している。
【図６】図２に示される結束装置及びパイプ束を拡大して示す正面図であり、締付レバーが結束位置にあり、ストッパロッドによりバンド部材に連結されていない状態を示している。
【図７】図２に示される結束装置及びパイプ束を拡大して示す正面図であり、締付レバーが結束位置にあり、ストッパロッドによりバンド部材に連結されている状態を示している。
【符号の説明】
【００３９】
１０  結束装置
１２  パイプ（長尺部材）
１４  パイプ束
１６  バンド部材
１８  掛止プレート（第１の掛止部材）
２０  締付レバー
２２  フック部
２４  挿通孔
２６  かしめ金具
２８  レバー本体
３０  背板部
３２  側板部
３４  蓋板部
３６  取手部
３８  基端部
４０  連結軸
４２  スライド溝
４４  拘束端部
４６  解放端部
４８  内側平行部
５０  外側平行部
５２  傾斜部
５４  掛止リング（第２の掛止部材）
５６  スライド部
５８  掛止部
６０  突当支点部
６２  長孔
６４  ストッパロッド
６６  支軸部
６８  ナット
７０  バンドフック部
７２  差込部
７４  傾斜突起部
【図１】
0004343252.tif 000002
【図２】
0004343252.tif 000003
【図３】
0004343252.tif 000004
【図４】
0004343252.tif 000005
【図５】
0004343252.tif 000006
【図６】
0004343252.tif 000007
【図７】
0004343252.tif 000008